【手続補正書】
【提出日】平成18年7月28日(2006.7.28)
【手続補正１】
【補正対象書類名】明細書
【補正対象項目名】発明の名称
【補正方法】変更
【補正の内容】
【発明の名称】同期信号生成方法
【手続補正２】
【補正対象書類名】明細書
【補正対象項目名】特許請求の範囲
【補正方法】変更
【補正の内容】
【特許請求の範囲】
【請求項１】
ＲＬＬ（２，１０）を満足し、８ビットのデータ語を１５ビットの符号語に変換する複数の状態をもつ変調テーブルにより変調され、前記符号語列の中の所定の符号語はこれに続く符号語が前記変調テーブルのうちどの状態で符号化がなされたかによって復号することが可能な符号語列に再生データの復号のために所定のビット間隔で挿入される同期信号を生成する同期信号生成方法であって、
前記ＲＬＬ（２，１０）制限を満たす前記符号語列との分離が可能な信号を前記同期信号として生成することを特徴とする同期信号生成方法。
【請求項２】
前記同期信号としてＲＬＬ（２，１０）で制限される最長反転間隔よりも長い所定の反転間隔を含む同期信号を生成することが可能であって、前記同期信号は先行する符号語が復号可能なビットパターンである事を特徴とする請求項１に記載の同期信号生成方法。
【請求項３】
前記同期信号は後続の符号語の一部を含むことを特徴とする請求項１あるいは請求項２いずれかに記載の同期信号生成方法。
【手続補正３】
【補正対象書類名】明細書
【補正対象項目名】０００１
【補正方法】変更
【補正の内容】
【０００１】
【発明の属する技術分野】
本発明は、ディジタルデータを複数の同期フレームからなるセクタに収容して順次伝送（記録をも含む）する際に用いられる同期信号を生成する同期信号生成方法に関するものである。
【手続補正４】
【補正対象書類名】明細書
【補正対象項目名】００１０
【補正方法】変更
【補正の内容】
【００１０】
本発明は、高密度記録、あるいは高密度データ伝送時においても、精度良くディジタルデータの再生を行うことができる同期信号生成方法を提供することを目的とする。
【手続補正５】
【補正対象書類名】明細書
【補正対象項目名】００１１
【補正方法】変更
【補正の内容】
【００１１】
【課題を解決するための手段】
本発明は上述の問題点を解決するために、下記の手順を有する同期信号生成方法を提供する。
（１）  ＲＬＬ（２，１０）を満足し、８ビットのデータ語を１５ビットの符号語に変換する複数の状態をもつ変調テーブルにより変調され、前記符号語列の中の所定の符号語はこれに続く符号語が前記変調テーブルのうちどの状態で符号化がなされたかによって復号することが可能な符号語列に再生データの復号のために所定のビット間隔で挿入される同期信号を生成する同期信号生成方法であって、
前記ＲＬＬ（２，１０）制限を満たす前記符号語列との分離が可能な信号を前記同期信号として生成することを特徴とする同期信号生成方法。
（２）  前記同期信号としてＲＬＬ（２，１０）で制限される最長反転間隔よりも長い所定の反転間隔を含む同期信号を生成することが可能であって、前記同期信号は先行する符号語が復号可能なビットパターンである事を特徴とする請求項１に記載の同期信号生成方法。
（３）  前記同期信号は後続の符号語の一部を含むことを特徴とする請求項１あるいは請求項２いずれかに記載の同期信号生成方法。
【手続補正６】
【補正対象書類名】明細書
【補正対象項目名】００１３
【補正方法】変更
【補正の内容】
【００１３】
以下、図面を参照して本発明の第１の実施形態を説明する。図１は、本発明によるディジタルデータの伝送方法にて伝送信号の生成を行う信号変調装置の構成を示す図である。図１において、８−１５変調器１は、伝送すべきディジタルデータを８ビット毎に、最小ランレングス３Ｔ、最大ランレングス１１Ｔなるランレングス制限を満たすような１５ビット（１コードワード）の８−１５変調信号（ランレングスリミテッドコード）に変換する。
【手続補正７】
【補正対象書類名】明細書
【補正対象項目名】００１５
【補正方法】変更
【補正の内容】
【００１５】
同期信号生成回路２は、互いに異なるビットパターンを有する同期信号を生成し、これを合成回路３に供給する。本発明の第１の実施例に基づき生成された同期信号を図２及び図３に示す。図２及び図３に示されるようにこれら同期信号は、ＳＹ０〜ＳＹ６の７つにグループ化される。図４は、かかる同期信号のフォーマットを示す図である。図４において、かかる同期信号のビット１４〜ビット３０には、同期信号であることを識別する為の同期パターンが割り当てられている。かかる同期パターンは、８−１５変調信号中の最大間隔１１Ｔよりも１Ｔ大きい１２Ｔのパターンを中核とし、この１２Ｔパターンの後方に固定長の４Ｔのパターンを配置した  １２Ｔ−４Ｔなる配列、つまり、
｛１０００００００００００１０００１｝
なるビットパターンである。この際、かかる同期パターンは、図２及び図３に示されるように、全ての同期信号に共通の固定パターンである。
【手続補正８】
【補正対象書類名】明細書
【補正対象項目名】００１７
【補正方法】変更
【補正の内容】
【００１７】
ここで、図１における合成回路３は、８−１５変調器１から順次供給されてくる８−１５変調信号の列、９１コードワード毎に、上記同期信号生成回路２にて発生した同期信号のいずれか１を選択し、これをかかる９１コードワードの先頭に付加したものを１同期フレームに対応した伝送信号として出力する。図 7は、かかる合成回路３にて出力される、１セクタあたりの伝送信号フォーマットを示す図である。
【手続補正９】
【補正対象書類名】明細書
【補正対象項目名】００１９
【補正方法】変更
【補正の内容】
【００１９】
次に、かかる１セクタ分の伝送信号を生成するという合成回路３の動作について、図８のフローを参照しつつ説明する。尚、かかる合成回路３内には、図示せぬＣＰＵ（中央処理装置）及びメモリが形成されており、かかるメモリ内には、予め、図９に示されるが如き情報が記憶されているものとする。図８のフローにおいて、先ず、かかる合成回路３内のＣＰＵは、その内蔵レジスタｎに初期番地としての１を設定する（ステップＳ１）。次に、ＣＰＵは、かかるレジスタｎに記憶されている番地に対応した情報を図９に示されるメモリからそれぞれ読み出して、レジスタＡ〜Ｄに各々記憶せしめる（ステップＳ２）。例えば、レジスタｎに１が記憶されている場合には、図８のメモリの１番地に記憶されているＳＹ０、ＳＹ５、ＳＹ５、ＳＹ５各々が読み出され、これらが、それぞれレジスタＡ〜Ｄに記憶される。
【手続補正１０】
【補正対象書類名】明細書
【補正対象項目名】００３１
【補正方法】変更
【補正の内容】
【００３１】
ここで、図１における合成回路３は、８−１５変調器１から順次供給されてくる８−１５変調信号の列、９１コードワード毎に、上記同期信号生成回路２にて発生した同期信号のいずれか１を選択し、これをかかる９１コードワードの先頭に付加したものを１同期フレームに対応した伝送信号として出力する。図７は、かかる合成回路３にて出力される、１セクタあたりの伝送信号フォーマットを示す図である。
【手続補正１１】
【補正対象書類名】明細書
【補正対象項目名】００３２
【補正方法】変更
【補正の内容】
【００３２】
次に、かかる１セクタ分の伝送信号を生成するという合成回路３の動作について、図８のフローを参照しつつ説明する。先ず、かかる合成回路３内のＣＰＵは、その内蔵レジスタｎに初期番地としての１を設定する（ステップＳ１）。次に、ＣＰＵは、かかるレジスタｎに記憶されている番地に対応した情報を図９に示されるメモリからそれぞれ読み出して、レジスタＡ〜Ｄに各々記憶せしめる（ステップＳ２）。次に、ＣＰＵは、同期信号生成回路２から供給されてくる、図５に示される同期信号の中から、上記レジスタＡの記憶内容に対応した同期信号を選択する。例えば、レジスタＡにＳＹ０が記憶されている場合には、図５に示される同期信号の中からＳＹ０に対応したものが選択される。ここで、かかる同期信号の直前に存在するコードワードの次に遷移する状態 Next State が０である場合、ＣＰＵは、図５に示されるＳＹ０の内から、Ｓｔａｔｅ＝０となっているものを選択する。この際、Ｓｔａｔｅ＝０となっているものは図５中から
｛００００００１０００１００１００００００００００００１０００｝
｛００００００００１００００１００００００００００００１０００｝
の２通り存在する。
【手続補正１２】
【補正対象書類名】明細書
【補正対象項目名】００４０
【補正方法】変更
【補正の内容】
【００４０】
【図面の簡単な説明】
【図１】
本発明の実施例に用いられる伝送信号を生成する装置の概略構成を示す図である。
【図２】
本発明の第１の実施例により生成された同期信号を示す図である。
【図３】
本発明の第１の実施例により生成された同期信号を示す図である。
【図４】
本発明の第１の実施例における同期信号フォーマットを示す図である。
【図５】
本発明の第２の実施例により生成された同期信号を示す図である。
【図６】
本発明の第２の実施例における同期信号フォーマットを示す図である。
【図７】
１セクタ分の伝送信号フォーマットを示す図である。
【図８】
合成回路３の動作フローを示す図である。
【図９】
メモリの記憶内容を示す図である。
【符号の説明】
１  ８−１５変調器
２  同期信号生成回路
３  合成回路